【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
制御装置に接続可能な記録装置であって、
初期処理を実行させる初期実行コマンドが１又は複数記述された初期実行コマンドデータ、及び、フォントデータが格納されたコードページが記憶された記憶部と、
電源の投入後、又は、リセット後、前記記憶部に記憶された前記初期実行コマンドデータに基づいて、前記初期実行コマンドを順次実行する処理実行部と、を備え、
前記処理実行部は、
前記記憶部を参照して前記コードページを一時記憶領域に展開し、前記コードページの内容を特定の仕向地用の内容へと変更し、
前記制御装置から前記コードページに関する問い合わせがあった場合、特定の仕向地用に内容が変更され、前記一時記憶領域に展開された前記コードページに基づいて当該問い合わせに対して応答することを特徴とする記録装置。
【請求項２】
前記処理実行部は、
前記コードページに格納されたフォントデータのうち、特定のフォントデータを、仕向地に応じたフォントデータへと変更し、
前記制御装置から、前記特定のフォントデータについて問い合わせがあった場合、仕向地に応じた変更後のフォントデータに基づいて当該問い合わせに対して応答することを特徴とする請求項１に記載の記録装置。
【請求項３】
前記初期実行コマンドデータは、
前記記憶部の所定の記憶領域に、各前記初期実行コマンドを示すデータが実行順に連続して書き込まれたデータ部と、
当該記憶領域における前記データ部のサイズを示す情報を含む情報部と、を含んで構成されていることを特徴とする請求項１又は２に記載の記録装置。
【請求項４】
前記初期実行コマンドは、前記コードページを一時記憶領域に展開させ、前記コードページの内容を特定の仕向地用の内容へと変更させることを指示する仕向地対応コマンドを含むことを特徴とする請求項１ないし３のいずれかに記載の記録装置。
【請求項５】
前記仕向地対応コマンドは、前記コードページに格納されたフォントデータのうち、特定のフォントデータを、仕向地に応じたフォントデータへと変更させる指示を含むことを特徴とする請求項４に記載の記録装置。
【請求項６】
制御装置に接続可能に構成され、
初期処理を実行させる初期実行コマンドが１又は複数記述された初期実行コマンドデータ、及び、フォントデータが格納されたコードページが記憶された記憶部を備える記録装置の制御方法であって、
前記記憶部を参照して前記コードページを一時記憶領域に展開し、前記コードページの内容を特定の仕向地用の内容へと変更し、
電源の投入後、又は、リセット後、前記記憶部に記憶された前記初期実行コマンドデータに基づいて、前記初期実行コマンドを順次実行し、
前記制御装置から前記コードページに関する問い合わせがあった場合、特定の仕向地用に内容が変更され、前記一時記憶領域に展開された前記コードページに基づいて当該問い合わせに対して応答することを特徴とする記録装置の制御方法。
【請求項７】
制御装置に接続可能に構成され、
初期処理を実行させる初期実行コマンドが１又は複数記述された初期実行コマンドデータ、及び、フォントデータが格納されたコードページが記憶された記憶部を備える記録装置を制御する制御部により実行されるプログラムであって、
前記制御部を、
電源の投入後、又は、リセット後、前記記憶部に記憶された前記初期実行コマンドデータに基づいて、前記初期実行コマンドを順次実行する処理実行部として機能させ、
前記処理実行部は、
前記コードページを一時記憶領域に展開し、前記コードページの内容を特定の仕向地用の内容へと変更し、
前記制御装置から前記コードページに関する問い合わせがあった場合、特定の仕向地用に内容が変更され、前記一時記憶領域に展開された前記コードページに基づいて当該問い合わせに対して応答することを特徴とするプログラム。
【手続補正２】
【補正対象書類名】明細書
【補正対象項目名】０００５
【補正方法】変更
【補正の内容】
【０００５】
上記目的を達成するために、本発明は、制御装置に接続可能な記録装置であって、初期処理を実行させる初期実行コマンドが１又は複数記述された初期実行コマンドデータ、及び、フォントデータが格納されたコードページが記憶された記憶部と、電源の投入後、又は、リセット後、前記記憶部に記憶された前記初期実行コマンドデータに基づいて、前記初期実行コマンドを順次実行する処理実行部と、を備え、前記処理実行部は、前記記憶部を参照して前記コードページを一時記憶領域に展開し、前記コードページの内容を特定の仕向地用の内容へと変更し、前記制御装置から前記コードページに関する問い合わせがあった場合、特定の仕向地用に内容が変更され、前記一時記憶領域に展開された前記コードページに基づいて当該問い合わせに対して応答することを特徴とする。
この構成では、電源の投入後、又は、リセット後、コードページは、仕向地に応じてその内容が変更された上で、一時記憶領域に展開される。これにより、仕向地に応じて適切にその内容が変更されたコードページを利用して各種文字を記録可能となる。そして、上記構成によれば、記録装置は、制御装置からコードページに関して問い合わせがあった場合は、変更後、一時記憶領域に展開されたコードページ、すなわち、実際に使用するコードページの内容に基づいて、当該問い合わせに対して応答するため、コードページの使用態様に応じた適切な応答が可能である。
【手続補正３】
【補正対象書類名】明細書
【補正対象項目名】０００６
【補正方法】変更
【補正の内容】
【０００６】
また、本発明は、前記処理実行部は、前記コードページに格納されたフォントデータのうち、特定のフォントデータを、仕向地に応じたフォントデータへと変更し、前記制御装置から、前記特定のフォントデータについて問い合わせがあった場合、仕向地に応じた変更後のフォントデータに基づいて当該問い合わせに対して応答することを特徴とする。
この構成によれば、記録装置は、特定のフォントデータについて問い合わせがあった場合、初期処理によって仕向地に応じて変更された後のフォントデータに基づいて応答するため、実際に使用するフォントデータの内容に応じた適切な応答が可能である。
【手続補正４】
【補正対象書類名】明細書
【補正対象項目名】０００７
【補正方法】変更
【補正の内容】
【０００７】
また、本発明は、前記初期実行コマンドデータは、前記記憶部の所定の記憶領域に、各前記初期実行コマンドを示すデータが実行順に連続して書き込まれたデータ部と、当該記憶領域における前記データ部のサイズを示す情報を含む情報部と、を含んで構成されていることを特徴とする。前記初期実行コマンドを示すデータが実行順に連続して書き込まれたデータ部と、当該記憶領域における前記データ部のサイズを示す情報を含む情報部と、を含んで構成されていることを特徴とする。
ここで、初期実行コマンドデータを、関係データベースとし、これにより、初期実行コマンドデータに記述された各初期実行コマンドの管理を容易化することも考えられるが、この場合、関係データベースの管理情報（例えば、記憶領域における各フィールドのアドレスと、各フィールドに格納されたデータとを対応付ける情報）を記憶する必要があり、また、不必要に記憶領域を確保する事態が生じ得るため、不揮発性メモリーの効率的な利用に課題がある。
これを踏まえ、上記構成によれば、初期実行コマンドデータにおけるデータ部では、各初期コマンドを示すデータが実行順に連続して書き込まれているため、当該データ部が占める記憶領域が必要最小限で済むと共に、各コマンドを実行する順番を管理するための情報を記憶する必要がない。また、初期行コマンドデータにおける情報部は、データ部のサイズを示す情報という、記憶領域においてデータ部が記憶されている領域を特定するために必要な最小限の情報を保持している。このため、この情報部のサイズ自体が小さく、不揮発性メモリーの効率的な利用を実現できる。
また、本発明は、前記初期実行コマンドは、前記コードページを一時記憶領域に展開し、前記コードページの内容を特定の仕向地用の内容へと変更させることを指示する仕向地対応コマンドを含むことを特徴とする。
また、本発明は、前記仕向地対応コマンドは、前記コードページに格納されたフォントデータのうち、特定のフォントデータを、仕向地に応じたフォントデータへと変更させる指示を含むことを特徴とする。
【手続補正５】
【補正対象書類名】明細書
【補正対象項目名】０００８
【補正方法】変更
【補正の内容】
【０００８】
また、上記目的を達成するために、本発明は、制御装置に接続可能に構成され、初期処理を実行させる初期実行コマンドが１又は複数記述された初期実行コマンドデータ、及び、フォントデータが格納されたコードページが記憶された記憶部を備える記録装置の制御方法であって、前記記憶部を参照して前記コードページを一時記憶領域に展開し、前記コードページの内容を特定の仕向地用の内容へと変更し、電源の投入後、又は、リセット後、前記記憶部に記憶された前記初期実行コマンドデータに基づいて、前記初期実行コマンドを順次実行し、前記制御装置から前記コードページに関する問い合わせがあった場合、特定の仕向地用に内容が変更され、前記一時記憶領域に展開された前記コードページに基づいて当該問い合わせに対して応答することを特徴とする。
この制御方法によれば、記録装置は、制御装置からコードページに関して問い合わせがあった場合は、変更後、一時記憶領域に展開されたコードページ、すなわち、実際に使用するコードページの内容に基づいて、当該問い合わせに対して応答するため、コードページの使用態様に応じた適切な応答が可能である。
【手続補正６】
【補正対象書類名】明細書
【補正対象項目名】０００９
【補正方法】変更
【補正の内容】
【０００９】
また、上記目的を達成するために、本発明は、制御装置に接続可能に構成され、初期処理を実行させる初期実行コマンドが１又は複数記述された初期実行コマンドデータ、及び、フォントデータが格納されたコードページが記憶された記憶部を備える記録装置を制御する制御部により実行されるプログラムであって、前記制御部を、電源の投入後、又は、リセット後、前記記憶部に記憶された前記初期実行コマンドデータに基づいて、前記初期実行コマンドを順次実行する処理実行部として機能させ、前記処理実行部は、前記コードページを一時記憶領域に展開し、前記コードページの内容を特定の仕向地用の内容へと変更し、前記制御装置から前記コードページに関する問い合わせがあった場合、特定の仕向地用に内容が変更され、前記一時記憶領域に展開された前記コードページに基づいて当該問い合わせに対して応答することを特徴とする。
このプログラムによれば、記録装置は、制御装置からコードページに関して問い合わせがあった場合は、変更後、一時記憶領域に展開されたコードページ、すなわち、実際に使用するコードページの内容に基づいて、当該問い合わせに対して応答するため、コードページの使用態様に応じた適切な応答が可能である。